(57)【要約】【課題】装置本体の小型化が図られるとともに、電気光学装置に、可変電子部品を備えた基板を組み合わせた後でも、可変電子部品を調整自在とする表示装置、及び電子機器を提供する。【解決手段】基板２０には、可変抵抗器（可変電子部品、電子部品）２１の配置される面において、可変抵抗器２１が露出するように露出部が設けられている。露出部としては、例えば、基板２０に設けられた貫通孔２０Ａが採用できる。【選択図】    図３
2004279921.tif 000002
【特許請求の範囲】
【請求項１】
可変電子部品を含む電子部品が設けられた基板と、
駆動回路を備えた電気光学装置と、
前記電子部品と前記駆動回路とを接続する配線と、を含む表示装置において、
前記基板は、前記可変電子部品が設けられた面が前記電気光学装置に対面するように配置され、
前記基板には、前記可変電子部品の配置される面において、前記可変電子部品が露出するように露出部が設けられてなることを特徴とする表示装置。
【請求項２】
前記露出部は、前記基板に設けられた貫通孔であり、
前記可変電子部品は、前記貫通孔を通じて調整されるように、前記貫通孔の前記電気光学装置に対向する面側に設置されることを特徴とする請求項１記載の表示装置。
【請求項３】
前記露出部は、前記基板に設けられた切欠きであり、
前記可変電子部品は、前記切欠きを通じて調整されるように、前記切欠きの前記電気光学装置に対向する面側に設置されることを特徴とする請求項１記載の表示装置。
【請求項４】
前記可変電子部品は、底面部に調整部を有することを特徴とする請求項１から３のいずれか一項に記載の表示装置。
【請求項５】
前記電気光学装置は、表示部と、該表示部に隣接された、前記駆動回路を配置する回路配置部と、を含んで構成されてなり、
前記回路配置部の反対面には、収納空間が形成され、
前記電子部品は、前記基板を前記電気光学装置に組み合わせた状態で、前記収納空間に収まるように、前記基板上に設けられることを特徴とする請求項１から４のいずれか一項に記載の表示装置。
【請求項６】
前記電子部品に含まれた光源と、前記表示部に備えられ、前記光源から照射された光を受けて前記表示部に光を照射する導光板と、を含んで構成される照明装置を有し、
前記導光板の入射端面は、前記収納空間内に貫装され、前記基板を前記電気光学装置に組み合わせた状態で、前記光源の近傍に位置するように配置されることを特徴とする請求項６に記載の表示装置。
【請求項７】
請求項１から６のいずれか一項に記載の表示装置を備えることを特徴とする電子機器。
【発明の詳細な説明】
【０００１】
【発明の属する技術分野】
本発明は、表示装置、及び該表示装置を備える電子機器に関する。
【０００２】
【従来の技術】
近年、液晶表示装置又は有機エレクトロルミネッセンス（有機ＥＬ）装置等の電気光学装置を利用して各種情報の表示を行う表示装置の発展は著しい。特に、携帯電話等の小型情報端末機器に採用される表示装置においては、画質等の特性の向上もさることながら、情報端末機器の更なる小型化に向けて、表示装置の薄型化も重要な課題となっている。
【０００３】
図６に、従来の一般的な表示装置の断面概略図を示す。この場合、表示装置の表示部には、バックライト型の液晶表示装置を採用するものとして説明する。
例えば、図６に示すように、表示装置５０は、抵抗やコンデンサ等の電子部品を備えた基板５１と、駆動回路（ＩＣ）５２を備えた液晶表示装置５３と、前記電子部品と駆動回路５２とを接続するフレキシブル配線５４とから構成されている。特に、前記電子部品には、液晶の駆動電圧を調整する可変抵抗器５５が含まれている。液晶表示装置５３は、ガラス基板５６上に設けられた表示部５７と、照明装置５８とから構成されている。照明装置５８は、表示部５７の表示領域の裏面に覆設された透明基板からなる導光板５９と、該導光板５９の入射端面５９Ａに向けて光を供給する光源６０とを備えている。
【０００４】
液晶表示装置５３は、表示装置本体６１に形成された第１の収納部６１Ａに設置されており、基板５１は、フレキシブル配線５４を介して開閉自在となるように、第１の収納部６１Ａの反対側に形成された第２の収納部６１Ｂに収納されている。ここで、表示装置本体６１の幅寸法をＷ１とし、基板５１が表示装置本体６１に固定されている場合に、基板５１において電子部品が実装されている基板面５１Ａと、表示装置本体６１において基板面５１Ａに対向する収納面６１Ｃとで形成される空間の距離をＳ１とする。
【０００５】
また、装置内部に設けられた可変抵抗器を外部より調整する構成としては、例えば、フィルム電池の一部に貫通穴を設け、この貫通穴に螺子回し等の調整具を挿入し、その下の可変電子部品を調整できるようにした、電子機器に内蔵される電池が提案されている（例えば、特許文献１参照。）。
【０００６】
【特許文献１】
特開平８−１７４１１号公報
【０００７】
【発明が解決しようとする課題】
しかしながら、上記従来技術においては、以下のような問題点を有していた。
図６に示すように、一旦、表示装置本体６１に基板５１を設置してしまうと、基板５１に実装された可変抵抗器５５の調整を行うことができないという問題があった。また、基板面５１Ａの全面に各種電子部品を実装しているために、基板面５１Ａと収納面６１Ｃとの距離Ｓ１は、前記電子部品の高さ以上の寸法が要求されるので、表示装置本体６１の幅寸法Ｗ１が大きくなってしまうという問題があった。
また、不図示であるが、基板５１の一部に貫通穴を設け、該貫通穴に螺子回し等の調整具を挿入し、可変抵抗器５５を調整できるような構成とした場合、更に距離Ｓ１が大きくなる可能性があり、幅寸法Ｗ１が大きくなってしまう問題は解決されない。
【０００８】本発明は、上記事情を鑑みてなされたものであり、装置本体の小型化が図られるとともに、電気光学装置に、可変電子部品を備えた基板を組み合わせた後でも、可変電子部品を調整自在とする表示装置、及び電子機器を提供することを目的とする。
【０００９】
【課題を解決するための手段】
前記課題を解決するために、本発明の表示装置においては、可変電子部品を含む電子部品が設けられた基板と、駆動回路を備えた電気光学装置と、前記電子部品と前記駆動回路とを接続する配線と、を含む表示装置において、前記基板は、前記可変電子部品が設けられた面が前記電気光学装置に対面するように配置され、前記基板には、前記可変電子部品の配置される面において、前記可変電子部品が露出するように露出部が設けられてなることを特徴としている。
上記の表示装置によれば、可変電子部品を含む電子部品が設けられた基板を電気光学装置に配置した後も、露出部を通じて外部から可変電子部品を調整することができるので、調整時の表示装置の状態を実際の製品時に近い状態としつつ、最適な量に調整することが可能となる。
【００１０】本発明の表示装置においては、前記露出部は、前記基板に設けられた貫通孔であり、前記可変電子部品は、前記貫通孔を通じて調整されるように、前記貫通孔の前記電気光学装置に対向する面側に設置されることを特徴としている。
これによれば、可変電子部品は、貫通孔を通して調整されるので、効率良く調整されるとともに、貫通孔の電気光学装置に対向する面側に設置されるので、可変電子部品が表示装置の外部に晒されることがなく、外部からの衝撃に耐える耐衝撃性を向上させることが可能となる。
【００１１】
本発明の表示装置においては、前記露出部は、前記基板に設けられた切欠きであり、前記可変電子部品は、前記切欠きを通じて調整されるように、前記切欠きの前記電気光学装置に対向する面側に設置されることを特徴としている。
これによれば、可変電子部品は、切欠きを通して調整されるので、効率良く調整されるとともに、切欠きの電気光学装置に対向する面側に設置されるので、可変電子部品が表示装置の外部に晒されることがなく、外部からの衝撃に耐える耐衝撃性を向上させることが可能となる。
【００１２】
本発明の表示装置においては、前記可変電子部品は、底面部に調整部を有することを特徴としている。
これによれば、可変電子部品を効率良く表示装置内に収納することができるので、表示装置の全体形状の小型化が可能となる。
【００１３】
本発明の表示装置においては、前記電気光学装置は、表示部と、該表示部に隣接された、前記駆動回路を配置する回路配置部と、を含んで構成されてなり、前記回路配置部の反対面には、収納空間が形成され、前記電子部品は、前記基板を前記電気光学装置に組み合わせた状態で、前記収納空間に収まるように、前記基板上に設けられることを特徴としている。
これによれば、基板を電気光学装置に組み合わせた状態で、基板上に備えられた電子部品が電気光学装置に形成された収納空間に収まるので、表示装置の全体形状の小型化が可能となる。
【００１４】
本発明の表示装置においては、前記電子部品に含まれた光源と、前記表示部に備えられ、前記光源から照射された光を受けて前記表示部に光を照射する導光板と、を含んで構成される照明装置を有し、前記導光板の入射端面は、前記収納空間内に貫装され、前記基板を前記電気光学装置に組み合わせた状態で、前記光源の近傍に位置するように配置されることを特徴としている。
これによれば、基板を電気光学装置に組み合わせた状態で、基板上に備えられた光源の近傍に導光板の入射端面が位置するので、表示装置の内部空間を効率良く利用して照明装置を配置することが可能となる。
【００１５】
本発明の電子機器においては、上記のいずれかに記載の表示装置を備えることを特徴としている。
この電子機器によれば、最適な画質に調整され、且つ、小型化された表示装置を備えるので、高画質で、小型の電子機器を提供することが可能となる。
【００１６】
【発明の実施の形態】
以下、本発明に係る表示装置、及び電子機器の実施形態を、図１乃至図５を参照して説明する。
なお、本実施形態の表示装置は、図６に示した従来の表示装置と同様に、電気光学装置にはバックライト型の液晶表示装置を採用するものとし、以下に示す各図において、図６の表示装置と同一構成のものには同一の符号を付し、その説明を省略する。これらの図面は、いずれも概略図であり、各部材を図面上で認識可能な程度の大きさとするため、各部材毎に縮尺を異ならせている。
また、本表示装置は、特に、携帯電話等の小型の情報端末機器に採用可能な大きさとしており、具体的には、画像表示領域のサイズが、２〜３ｉｎｃｈ程度の表示装置に好適に採用できる。
【００１７】
図１及び図２は、本発明の表示装置１であって、液晶表示装置１０に基板２０を設置する前の斜視図を示している。図１は、液晶表示装置１０を画面表示領域（表示部）側から眺めた図であり、図２は、液晶表示装置１０の裏面側から眺めた図である。
図１及び図２に示すように、表示装置１は、抵抗やコンデンサ等の電子部品を備えた基板２０と、駆動回路（ＩＣ）５２を備えた液晶表示装置１０と、前記電子部品と駆動回路５２とを接続するフレキシブル配線５４とから構成される。
本実施形態の表示装置１では、従来の表示装置５０と同様に、基板２０上に実装された電子部品には、可変抵抗器（可変電子部品）２１を含んでおり、該可変抵抗器２１は、基板２０を液晶表示装置１０に組み合わせた状態で、外部から調整自在となるように、基板２０に設置されることを特徴としている。即ち、基板には、可変電子部品２１の配置される面において、可変電子部品２１が露出するように露出部が設けられている。
【００１８】
図１及び図２に示すように、基板２０の一部には、前記露出部として貫通孔２０Ａが穿設されてなり、可変抵抗器２１は、貫通孔２０Ａを通じて調整されるように、貫通孔２０Ａにおいて、液晶表示装置１０に対向する基板面２０Ｃに設置されている。本実施形態の可変抵抗器２１としては、特に、裏面タイプの可変抵抗器が好適に採用可能である。ここで、裏面タイプの可変抵抗器とは、可変抵抗器本体の底面部と略同一高さ位置に配線接続部が形成されている可変抵抗器であって、底面（裏面）部に調整部である可変ダイヤルが形成されている可変抵抗器を示す（図３参照）。
【００１９】
図３は、本実施形態の表示装置１の断面概略図であって、図３（ａ）は、基板２０における可変抵抗器２１設置部での断面図を示し、図３（ｂ）は、基板２０における光源３１設置部での断面図を示す。
液晶表示装置１０は、表示装置本体４０に形成された第１の収納部４０Ａに設置されており、基板２０は、フレキシブル配線５４を介して開閉自在となるように、第１の収納部４０Ａの反対側に形成された第２の収納部４０Ｂに収納されている。図３に示すように、液晶表示装置１０は、ガラス基板５６上に設けられた表示部５７と、該表示部５７に隣接され、駆動回路５２を配置する回路配置部１１と、照明装置３０とから構成されている。
【００２０】
図２に示すように、回路配置部１１（図１参照）の反対面には、第３の収納部（収納空間）４０Ｄが形成されており、電子部品は、基板２０を液晶表示装置１０に組み合わせた時に、第３の収納部４０Ｄに収まるように、基板面２０Ｃ上に実装されている。例えば、図３（ａ）に示すように、可変抵抗器２１の本体は、第３の収納部４０Ｄ内に好適に収納される。
【００２１】
照明装置３０は、表示部５７の表示領域の裏面に覆設された透明基板からなる導光板３２と、該導光板３２の入射端面３２Ａに向けて光を供給する光源３１とから構成されており、特に、本実施形態の光源３１は、基板面２０Ｃ上に備えられた電子部品に含まれることを特徴としている。図３（ｂ）に示すように、導光板３２の入射端面３２Ａは、第３の収納部４０Ｄ内に貫装され、基板２０を液晶表示装置１０に組み合わせた時に、光源３１の近傍に位置するように配置されている。光源３１としては、ＬＥＤ（発光ダイオード）を採用し、基板面２０Ｃ上に２カ所設置している。但し、光源３１は、ＬＥＤに限定されるものではない。また、この場合においても、光源３１の本体は、第３の収納部４０Ｄ内に好適に収納される。
【００２２】
次に、本発明の表示装置１の作用について説明する。
本発明の表示装置１の作用において特徴とするところは、基板２０を液晶表示装置１０に組み合わせた後に、表示装置１の外部から可変抵抗器２１を自在に調整できる点にある。
まず、図１及び図２に示すように、液晶表示装置１０の駆動回路５２と、基板２０上の各電子部品とが、フレキシブル配線５４を介して接続される。その後、フレキシブル配線５４を湾曲させることにより、図３に示すように、基板２０を液晶表示装置１０に組み合わせる。なお、この場合、表示装置１の本体４０の幅寸法をＷ２とし、各電子部品が実装されている基板面２０Ｃと、表示装置本体４０において基板面２０Ｃに対向する収納面４０Ｃとで形成される空間の距離をＳ２とする。
【００２３】
液晶表示装置１０に基板２０を組み合わせた後、表示装置１の画像表示の調整が実施される。ここで、画像表示の調整に際し、表示部５７に画像を一旦表示するのであるが、本発明の照明装置３０が好適に使用される。即ち、図３（ｂ）に示すように、導光板３２の入射端面３２Ａに向けて、光源３１から光が効率良く照射されるので、画像が好適な明るさで表示される。
【００２４】
画像表示の調整項目としては、例えば、表示部５７に表示される画像のコントラストを所望のコントラストに調整する工程がある。この場合、図３（ａ）に示すように、貫通穴２０Ａに螺子回し（ドライバー）等の調整具４７を挿入し、可変抵抗器２１の可変ダイヤルを適宜回転させることにより、液晶を駆動させる駆動電圧を変化させる。これにより、画像のコントラストが適宜調整される。
なお、上記の画像表示は、基板２０の外面２０Ｄに設けられたコネクタ４５を、電源装置や制御装置等からなる不図示の外部装置に接続させて実施される。特に、不図示であるが、表示装置１を使用する電子機器と同等の仕様のコネクタ接続部を有する冶具を作製し、該冶具に表示装置１を接続させた状態で上記の画像表示の調整を行うことにより、正確に、且つ、効率良く画像のコントラストが調整される。
【００２５】
このように、本実施形態の表示装置は、可変電子部品を備えた基板を電気光学装置に組み合わせた後、即ち、実際の製品に近い状態のままで外部から可変電子部品を調整することができるので、最適な量に調整することが可能となる。
また、可変電子部品は、基板上に穿設された貫通孔の位置の、電気光学装置に対向する面側に設置されるので、耐衝撃性を向上させることが可能となる。
【００２６】
また、図３と図６とを比較すると明らかであるように、図６に示した従来の表示装置では、基板面５１Ａと収納面６１Ｃとで形成される空間の距離Ｓ１は、少なくとも電子部品の高さ以上の寸法が要求されるのに対し、図３に示した本実施形態の表示装置１では、基板２０上に備えられた電子部品が液晶表示装置１０に形成された第３の収納部４０Ｄに収まるので、基板面２０Ｃと収納面４０Ｃとで形成される空間の距離Ｓ２は、距離Ｓ１に対して極小となる。従って、表示装置１の幅寸法Ｗ２は、図４における幅寸法Ｗ１より小さくなり、表示装置１の全体形状を小型とすることが可能となる。
【００２７】
図４は、本発明の電子機器の一実施形態に係る携帯電話機の斜視図である。
この図において、１００は携帯電話、１０１はアンテナ、１０２は受話器、１０３は送話器、１０４は表示部、１０５は操作釦部である。本携帯電話機における表示部１０４として、上記実施形態に示した表示装置１が好適に用いられる。
このように、本実施形態の電子機器は、最適な画質に調整され、且つ、小型化された上記実施形態の表示装置を備えるので、高画質で、小型の電子機器を提供することが可能となる。
【００２８】
以上、本発明の実施形態による表示装置、及び該表示装置を備えた電子機器について説明したが、本発明は、上記実施形態に制限されず、本発明の範囲内で自由に変更が可能である。
【００２９】
例えば、本実施形態では、基板２０上に形成される露出部として、貫通孔２０Ａを穿設した構成としたが、本発明は、これに限定するものではない。例えば、図５に示すように、露出部として切欠き７０を形成させても良い。これによれば、上記実施形態と同様の作用・効果が奏される。
【００３０】
また、本実施形態では、電気光学装置として液晶表示装置を採用したが、本発明は、これに限定されるものではなく、例えば、有機ＥＬ装置等も好適に採用可能である。
更に、本実施形態における可変電子部品や光源等の電子部品の設置場所、又は設置数等の条件は、これに限定するものではなく、電気光学装置本体に形成された収納空間に収納可能であれば変更可能である。
【図面の簡単な説明】
【図１】電気光学装置の画面表示側から眺めた表示装置の斜視図である。
【図２】電気光学装置の裏面側から眺めた表示装置の斜視図である。
【図３】表示装置の断面概略図である。
【図４】電子機器の一実施形態に係る携帯電話機の斜視図である。
【図５】表示装置の他の例の斜視図である。
【図６】従来の表示装置の断面概略図である。
【符号の説明】
１・・・表示装置、１０・・・液晶表示装置（電気光学装置）、１１・・・回路配置部、２０・・・基板、２１・・・可変抵抗器（可変電子部品）、２１Ａ・・・貫通孔（露出部）、３０・・・照明装置、３１・・・光源、３２・・・導光板、３２Ａ・・・入射端面、４０Ｄ・・・第３の収納部（収納空間）、５２・・・駆動回路、５４・・・フレキシブル配線（配線）、５７・・・表示部、７０・・・切欠き（露出部）
【図１】
2004279921.tif 000003
【図２】
2004279921.tif 000004
【図３】
2004279921.tif 000005
【図４】
2004279921.tif 000006
【図５】
2004279921.tif 000007
【図６】
2004279921.tif 000008